(57)【特許請求の範囲】
【請求項１】
少なくとも１台の太陽光パネルを各々が含む複数の太陽光パネル群により発電されて供給される直流電力を交流電力に変換する交流電力変換部と、  前記複数の太陽光パネル群の各々からの前記直流電力を検出する電力検出部と、  前記電力検出部による検出値に基づいて、前記複数の太陽光パネル群から供給される前記直流電力の異常を検出する制御を行う制御部と、を備え、  前記制御部は、一過性の影によって前記直流電力の積算値に影響を及ぼさないような一過性の影ができる期間よりも長い期間であり、かつ、前記複数の太陽光パネル群の設置初期の期間である第１の期間において、前記太陽光パネル群から供給される前記直流電力を積算した第１積算値を取得するとともに、前記第１積算値を複数の前記太陽光パネル群の数で平均した第１平均値に対する各々の前記太陽光パネル群の前記第１積算値の比率を、前記複数の太陽光パネル群の互いの傾斜角度の差に起因する前記直流電力への影響を反映した値として取得し、前記比率に基づいて、前記複数の太陽光パネル群から供給される前記直流電力の異常を検出するように構成されている、太陽光発電用パワーコンディショナ。
【請求項２】
前記制御部は、前記複数の太陽光パネル群から供給される前記直流電力を、一過性の影によって前記直流電力の積算値に影響を及ぼさないような一過性の影ができる期間よりも長い期間であり、かつ、前記第１の期間よりも後の第２の期間において積算した第２積算値を取得するとともに、前記第２積算値を前記比率により補正することによって、前記複数の太陽光パネル群から供給される前記直流電力の異常を検出するように構成されている、請求項１に記載の太陽光発電用パワーコンディショナ。
【請求項３】
前記制御部は、前記第２の期間において積算した前記第２積算値を取得することによって一過性の影による影響を緩和するとともに、前記第２積算値を前記比率により補正することによって前記傾斜角度の差に起因する前記直流電力への影響を緩和した状態で、前記直流電力の異常を検出するように構成されている、請求項２に記載の太陽光発電用パワーコンディショナ。
【請求項４】
前記制御部は、前記第２の期間において積算した前記第２積算値を取得することによって一過性の影による影響を緩和するとともに、前記第２積算値を前記比率により補正することによって前記傾斜角度の差に起因する前記直流電力への影響を緩和した状態で、前記太陽光パネルを覆う遮蔽物による影響、および、前記太陽光パネルの故障による影響に起因する前記直流電力の異常を検出するように構成されている、請求項３に記載の太陽光発電用パワーコンディショナ。
【請求項５】
前記制御部は、前記第２積算値を複数の前記太陽光パネル群の数で平均した第２平均値を、前記比率で乗算することによって補正した補正値と、前記第２積算値との差分が、所定の閾値よりも大きい場合に、前記太陽光パネルを覆う遮蔽物による影響、および、前記太陽光パネルの故障による影響に起因する前記直流電力の異常を検出するように構成されている、請求項３または４に記載の太陽光発電用パワーコンディショナ。
【請求項６】
前記制御部は、前記第２の期間において前記第２積算値を取得するとともに前記第２積算値を前記比率を用いて補正することによって前記直流電力の異常を検出する制御を繰り返し行うように構成されている、請求項２〜５のいずれか１項に記載の太陽光発電用パワーコンディショナ。
【請求項７】
前記制御部は、前記複数の太陽光パネル群のうちの一の前記太陽光パネル群以外の複数の前記太陽光パネル群からの前記直流電力の前記第１平均値に対する前記一の太陽光パネル群の前記第１積算値の前記比率に基づいて、前記一の太陽光パネル群から供給される前記直流電力の異常を検出するように構成されている、請求項１〜６のいずれか１項に記載の太陽光発電用パワーコンディショナ。
【請求項８】
前記制御部は、前記太陽光パネル群から供給される前記直流電力の異常を検出した場合に、異常が検出された前記直流電力を供給する前記太陽光パネル群に異常があることを通知する制御を行うように構成されている、請求項１〜７のいずれか１項に記載の太陽光発電用パワーコンディショナ。
【請求項９】
前記複数の太陽光パネル群から供給される前記直流電力を電力変換し、前記交流電力変換部に供給する複数の直流電力変換部をさらに備え、  前記制御部は、前記太陽光パネル群から前記直流電力変換部に供給される前記直流電力により取得された前記比率に基づいて、前記複数の太陽光パネル群から前記直流電力変換部に供給される前記直流電力の異常を検出するように構成されている、請求項１〜８のいずれか１項に記載の太陽光発電用パワーコンディショナ。
【請求項１０】
少なくとも１台の太陽光パネルを各々が含む複数の太陽光パネル群と、  前記複数の太陽光パネル群により発電された直流電力が供給される太陽光発電用パワーコンディショナと、を備え、  前記太陽光発電用パワーコンディショナは、前記複数の太陽光パネル群から供給される前記直流電力を交流電力に変換する交流電力変換部と、前記複数の太陽光パネル群の各々からの前記直流電力を検出する電力検出部と、前記電力検出部による検出値に基づいて、前記複数の太陽光パネル群から供給される前記直流電力の異常を検出する制御を行う制御部と、を含み、  前記制御部は、一過性の影によって前記直流電力の積算値に影響を及ぼさないような一過性の影ができる期間よりも長い期間であり、かつ、前記複数の太陽光パネル群の設置初期の期間である第１の期間において、前記太陽光パネル群から供給される前記直流電力を積算した第１積算値を取得するとともに、前記第１積算値を複数の前記太陽光パネル群の数で平均した第１平均値に対する各々の前記太陽光パネル群の前記第１積算値との比率を、前記複数の太陽光パネル群の互いの傾斜角度の差に起因する前記直流電力への影響を反映した値として取得し、前記比率に基づいて、前記複数の太陽光パネル群から供給される前記直流電力の異常を検出するように構成されている、太陽光発電システム。
【発明の詳細な説明】
【技術分野】
【０００１】  この発明は、太陽光発電用パワーコンディショナおよび太陽光発電システムに関し、特に、複数の太陽光パネル群から供給される直流電力の異常を検出する制御部を備える太陽光発電用パワーコンディショナおよび太陽光発電システムに関する。
【背景技術】
【０００２】  従来、太陽光パネル群から供給される直流電力の異常を検出する制御部を備える太陽光発電用パワーコンディショナおよび太陽光発電システムが知られている。このような太陽光発電用パワーコンディショナおよび太陽光発電システムは、たとえば、特開２０１３−１６８５３５号公報に開示されている。【０００３】  特開２０１３−１６８５３５号公報には、複数の太陽電池モジュールの各々の異常を検出する複数の異常検出装置が開示されている。一の太陽電池モジュールに対応する異常検出装置は、一の太陽電池モジュールからの電力と、一の太陽電池モジュールと直列に接続される他の太陽電池モジュールからの電力とを比較して、異常検出を行うように構成されている。具体的には、異常検出装置は、一の太陽電池モジュールからの電力と、他の太陽電池モジュールからの電力との差分の、予め設定された継続時間における積算値が、閾値以上である場合に、一の太陽電池モジュールの異常を検出するように構成されている。ここで、上記継続時間が、雲などによる一過性の影の影響が無視できる程度の長さに設定されていることによって、雲などによる一過性の影による電力への影響が緩和されている。
【先行技術文献】
【特許文献】
【０００４】
【特許文献１】特開２０１３−１６８５３５号公報
【発明の概要】
【発明が解決しようとする課題】
【０００５】  ここで、故障でない場合でも、一の太陽電池モジュールおよび他の太陽電池モジュールの各々の傾斜角度の差に起因して発電量の差が生じる場合があるが、上記特開２０１３−１６８５３５号公報に記載の異常検出装置では、上記傾斜角度の差に起因する発電量の差も故障と判別されてしまう。この場合、太陽電池モジュールの故障（異常）を正確に検出することが困難であるという問題点がある。【０００６】  この発明は、上記のような課題を解決するためになされたものであり、この発明の１つの目的は、太陽光パネル群の故障（異常）を正確に検出することが可能な太陽光発電用パワーコンディショナおよび太陽光発電システムを提供することである。
【課題を解決するための手段】
【０００７】  上記目的を達成するために、この発明の第１の局面による太陽光発電用パワーコンディショナは、少なくとも１台の太陽光パネルを各々が含む複数の太陽光パネル群により発電されて供給される直流電力を交流電力に変換する交流電力変換部と、複数の太陽光パネル群の各々からの直流電力を検出する電力検出部と、電力検出部による検出値に基づいて、複数の太陽光パネル群から供給される直流電力の異常を検出する制御を行う制御部と、を備え、制御部は、一過性の影によって直流電力の積算値に影響を及ぼさないような一過性の影ができる期間よりも長い期間であり、かつ、複数の太陽光パネル群の設置初期の期間である第１の期間において、太陽光パネル群から供給される直流電力を積算した第１積算値を取得するとともに、第１積算値を複数の太陽光パネル群の数で平均した第１平均値に対する各々の太陽光パネル群の第１積算値の比率を、複数の太陽光パネル群の互いの傾斜角度の差に起因する直流電力への影響を反映した値として取得し、上記比率に基づいて、複数の太陽光パネル群から供給される直流電力の異常を検出するように構成されている。【０００８】  この発明の第１の局面による太陽光発電用パワーコンディショナでは、上記のように、制御部は、一過性の影ができる期間よりも長い期間であり、かつ、複数の太陽光パネル群の設置初期の期間である第１の期間において第１積算値を取得するとともに、第１積算値を複数の太陽光パネル群の数で平均した第１平均値に対する第１積算値の比率に基づいて、複数の太陽光パネル群から供給される直流電力の異常を検出する。これにより、第１の期間が、一過性の影ができる期間よりも長い期間であることによって、取得された第１積算値において、一過性の影による影響が緩和される。また、第１の期間が、複数の太陽光パネル群の設置初期の期間であることによって、全ての太陽光パネル群が正常であるので、取得された第１積算値において、複数の太陽光パネル群の異常に起因する直流電力の変動の影響が生じるのが抑制される。すなわち、第１平均値に対する第１積算値の比率は、複数の太陽光パネル群の互いの傾斜角度の差に起因する直流電力への影響だけが反映された値（平均に対するずれの割合）であるとみなすことができる。したがって、上記比率に基づいて、複数の太陽光パネル群から供給される直流電力の異常を検出することによって、複数の太陽光パネル群の互いの傾斜角度の差に起因する直流電力への影響を緩和した状態で、複数の太陽光パネル群から供給される直流電力の異常を検出することができる。その結果、太陽光パネル群の故障（異常）を正確に検出することができる。なお、電力検出部とは、電流検出部および電圧検出部を含む広い意味である。【０００９】  上記第１の局面による太陽光発電用パワーコンディショナにおいて、好ましくは、制御部は、複数の太陽光パネル群から供給される直流電力を、一過性の影によって直流電力の積算値に影響を及ぼさないような一過性の影ができる期間よりも長い期間であり、かつ、第１の期間よりも後の第２の期間において積算した第２積算値を取得するとともに、第２積算値を上記比率により補正することによって、複数の太陽光パネル群から供給される直流電力の異常を検出するように構成されている。ここで、一過性の影ができる期間よりも長い期間である第２の期間における第２積算値は、一過性の影による影響が緩和されている。したがって、一過性の影による影響が緩和された第２積算値を、上記傾斜角度の差が反映された上記比率により補正することによって、複数の太陽光パネル群から供給される直流電力において、一過性の影による影響、および、上記傾斜角度の差に起因する直流電力への影響の両方が緩和される。これにより、第１の期間の経過以後に複数の太陽光パネル群から供給される直流電力に異常が生じた場合に、第１の期間より後の第２の期間における第２積算値を上記比率により補正することによって、一過性の影による影響、および、上記傾斜角度の差に起因する直流電力への影響の両方を緩和した状態で、上記異常を検出することができる。【００１０】  この場合、好ましくは、制御部は、第２の期間において積算した第２積算値を取得することによって一過性の影による影響を緩和するとともに、第２積算値を上記比率により補正することによって上記傾斜角度の差に起因する直流電力への影響を緩和した状態で、直流電力の異常を検出するように構成されている。このように構成すれば、一過性の影による影響、および、複数の太陽光パネル群の互いの傾斜角度の差に起因する直流電力への影響が緩和されているので、複数の太陽光パネル群における故障（異常）に起因する直流電力への影響をより正確に検出することができる。【００１１】  上記一過性の影による影響を緩和するとともに複数の太陽光パネル群の互いの傾斜角度の差に起因する影響を緩和した状態で直流電力の異常を検出する太陽光発電用パワーコンディショナにおいて、好ましくは、制御部は、第２の期間において積算した第２積算値を取得することによって一過性の影による影響を緩和するとともに、第２積算値を比率により補正することによって上記傾斜角度の差に起因する直流電力への影響を緩和した状態で、太陽光パネルを覆う遮蔽物による影響、および、太陽光パネルの故障による影響に起因する直流電力の異常を検出するように構成されている。このように構成すれば、太陽光パネルを覆う遮蔽物、および、太陽光パネルの故障という、太陽光パネルに恒久的に生じている異常を容易に検出することができる。【００１２】  上記一過性の影による影響を緩和するとともに複数の太陽光パネル群の互いの傾斜角度の差に起因する影響を緩和した状態で直流電力の異常を検出する太陽光発電用パワーコンディショナにおいて、好ましくは、制御部は、第２積算値を複数の太陽光パネル群の数で平均した第２平均値を、比率で乗算することによって補正した補正値と、第２積算値との差分が、所定の閾値よりも大きい場合に、太陽光パネルを覆う遮蔽物による影響、および、太陽光パネルの故障による影響に起因する直流電力の異常を検出するように構成されている。このように構成すれば、補正値と第２積算値との差分と、所定の閾値とを比較するだけで、太陽光パネルを覆う遮蔽物による影響、および、太陽光パネルの故障による影響に起因する直流電力の異常を容易に検出することができる。【００１３】  上記第２積算値を上記比率により補正することによ���て複数の太陽光パネル群から供給される直流電力の異常を検出する太陽光発電用パワーコンディショナにおいて、好ましくは、制御部は、第２の期間において第２積算値を取得するとともに第２積算値を比率を用いて補正することによって直流電力の異常を検出する制御を繰り返し行うように構成されている。このように構成すれば、一過性の影による影響、および、複数の太陽光パネル群の互いの傾斜角度の差に起因する直流電力への影響の両方を緩和した状態で、直流電力の異常の検出を繰り返し行うことができる。【００１４】  上記第１の局面による太陽光発電用パワーコンディショナにおいて、好ましくは、制御部は、複数の太陽光パネル群のうちの一の太陽光パネル群以外の複数の太陽光パネル群からの直流電力の第１平均値に対する一の太陽光パネル群の第１積算値の比率に基づいて、一の太陽光パネル群から供給される直流電力の異常を検出するように構成されている。このように構成すれば、一の太陽光パネル群からの直流電力に異常がある場合に、異常がある直流電力を含めないで第１平均値を取得することができる。その結果、複数の太陽光パネル群の互いの傾斜角度の差に起因する直流電力への影響をより正確に上記比率に反映させることができる。【００１５】  上記第１の局面による太陽光発電用パワーコンディショナにおいて、好ましくは、制御部は、太陽光パネル群から供給される直流電力の異常を検出した場合に、異常が検出された直流電力を供給する太陽光パネル群に異常があることを通知する制御を行うように構成されている。このように構成すれば、太陽光パネル群に異常が検出された場合に通知されるので、ユーザは速やかに異常がある太陽光パネル群に対して修理等の対処をすることができる。【００１６】  上記第１の局面による太陽光発電用パワーコンディショナにおいて、好ましくは、複数の太陽光パネル群から供給される直流電力を電力変換し、交流電力変換部に供給する複数の直流電力変換部をさらに備え、制御部は、太陽光パネル群から直流電力変換部に供給される直流電力により取得された上記比率に基づいて、複数の太陽光パネル群から直流電力変換部に供給される直流電力の異常を検出するように構成されている。このように構成すれば、複数の太陽光パネル群の互いの傾斜角度の差に起因する直流電力への影響を緩和した状態で、直流電力変換部に供給される直流電力の異常を検出することができる。【００１７】  この発明の第２の局面による太陽光発電システムは、少なくとも１台の太陽光パネルを各々が含む複数の太陽光パネル群と、複数の太陽光パネル群により発電された直流電力が供給される太陽光発電用パワーコンディショナと、を備え、太陽光発電用パワーコンディショナは、複数の太陽光パネル群から供給される直流電力を交流電力に変換する交流電力変換部と、複数の太陽光パネル群の各々からの直流電力を検出する電力検出部と、電力検出部による検出値に基づいて、複数の太陽光パネル群から供給される直流電力の異常を検出する制御を行う制御部と、を含み、制御部は、一過性の影によって直流電力の積算値に影響を及ぼさないような一過性の影ができる期間よりも長い期間であり、かつ、複数の太陽光パネル群の設置初期の期間である��１の期間において、太陽光パネル群から供給される直流電力を積算した第１積算値を取得するとともに、第１積算値を複数の太陽光パネル群の数で平均した第１平均値に対する各々の太陽光パネル群の第１積算値との比率を、複数の太陽光パネル群の互いの傾斜角度の差に起因する直流電力への影響を反映した値として取得し、上記比率に基づいて、複数の太陽光パネル群から供給される直流電力の異常を検出するように構成されている。【００１８】  この発明の第２の局面による太陽光発電システムでは、上記のように、制御部は、一過性の影ができる期間よりも長い期間であり、かつ、複数の太陽光パネル群の設置初期の期間である第１の期間において第１積算値を取得するとともに、第１平均値に対する第１積算値の比率に基づいて、複数の太陽光パネル群から供給される直流電力の異常を検出する。これにより、第１の期間が、一過性の影ができる期間よりも長い期間であることによって、取得された第１積算値において、一過性の影による影響が緩和される。また、第１の期間が、複数の太陽光パネル群の設置初期の期間であることによって、全ての太陽光パネル群が正常であるので、取得された第１積算値において、複数の太陽光パネル群の異常に起因する直流電力の変動の影響が生じるのが抑制される。すなわち、第１平均値に対する第１積算値の比率は、複数の太陽光パネル群の互いの傾斜角度の差に起因する直流電力への影響だけが反映された値（平均に対するずれの割合）である。したがって、上記比率に基づいて、複数の太陽光パネル群から供給される直流電力の異常を検出することによって、複数の太陽光パネル群の互いの傾斜角度の差に起因する直流電力への影響を緩和した状態で、複数の太陽光パネル群から供給される直流電力の異常を検出することができる。その結果、太陽光発電システムにおける異常（太陽光パネルの故障等）を正確に検出することができる。
【発明の効果】
【００１９】  本発明によれば、上記のように、太陽光パネル群の故障（異常）を正確に検出することができる。
【図面の簡単な説明】
【００２０】
【図１】一実施形態による太陽光発電システム（太陽光発電用パワーコンディショナ）の構成を示す図である。
【図２】一実施形態による太陽光発電システム（太陽光発電用パワーコンディショナ）の制御部の電力演算部、積算部、および、平均化処理部を示した図である。
【図３】一実施形態による太陽光発電システム（太陽光発電用パワーコンディショナ）の制御部の記憶部および故障判定部を示した図である。
【図４】一実施形態による太陽光発電システム（太陽光発電用パワーコンディショナ）の制御部の制御フローを示した図である。
【図５】一実施形態の変形例による太陽光発電システム（太陽光発電用パワーコンディショナ）の制御部の記憶部および故障判定部を示した図である。
【発明を実施するための形態】
【００２１】  以下、本発明を具体化した実施形態を図面に基づいて説明する。
【００２２】  ［本実施形態］  まず、図１〜図４を参照して、本実施形態による太陽光発電用パワーコンディショナ１０および太陽光発電システム１００の構成について説明する。
【００２３】  （太陽光発電用パワーコンディショナおよび太陽光発電システムの構成）  図１に示すように、太陽光発電システム１００は、太陽光発電用パワーコンディショナ１０を備える。また、太陽光発電用パワーコンディショナ１０は、後述するＤＣ／ＤＣ変換回路２、ＤＣ／ＡＣ変換回路５、制御部６を収納する筐体部１０ａを含む。筐体部１０ａは、複数（本実施形態では４つ）のセルストリング１に接続されている。セルストリング１は、互いに直列に接続された複数の太陽光パネルにより構成されている。なお、セルストリング１は、特許請求の範囲の「太陽光パネル群」の一例である。
【００２４】  太陽光発電用パワーコンディショナ１０は、複数のセルストリング１により発電された直流電力が供給される複数（本実施形態では４つ）のＤＣ／ＤＣ変換回路２を備える。各ＤＣ／ＤＣ変換回路２は、１つのセルストリング１から直流電力を供給されるように構成されている。ＤＣ／ＤＣ変換回路２は、セルストリング１から供給された直流電力を電力変換する（電圧値を変化させる）ように構成されている。以下では、説明のために、複数のＤＣ／ＤＣ変換回路２の各々を、図１の上から順に、１番のＤＣ／ＤＣ変換回路２、２番のＤＣ／ＤＣ変換回路２、３番のＤＣ／ＤＣ変換回路２、４番のＤＣ／ＤＣ変換回路２とする。なお、ＤＣ／ＤＣ変換回路２は、特許請求の範囲の「直流電力変換部」の一例である。
【００２５】  太陽光発電用パワーコンディショナ１０には、セルストリング１とＤＣ／ＤＣ変換回路２との間に設けられる電流検出部３が設けられている。電流検出部３は、互いに接続されるセルストリング１とＤＣ／ＤＣ変換回路２との間に流れる電流（Ａ１、Ａ２、Ａ３、および、Ａ４）を検出する。なお、電流検出部３は、特許請求の範囲の「電力検出部」の一例である。
【００２６】  また、太陽光発電用パワーコンディショナ１０には、セルストリング１とＤＣ／ＤＣ変換回路２との間に設けられる電圧検出部４が設けられている。電圧検出部４は、互いに接続されるセルストリング１とＤＣ／ＤＣ変換回路２との間の電圧（Ｖ１、Ｖ２、Ｖ３、および、Ｖ４）を検出する。そして、後述するように、制御部６は、電流検出部３の検出値、および、電圧検出部４の検出値に基づいて、複数のセルストリング１からＤＣ／ＤＣ変換回路２に供給される直流電力の異常を検出する制御を行うように構成されている。なお、電圧検出部４は、特許請求の範囲の「電力検出部」の一例である。
【００２７】  ここで、電流検出部３および電圧検出部４の各々は、太陽光発電用パワーコンディショナに一般的に備えられているので、電流検出部３の検出値、および、電圧検出部４の検出値に基づいて、直流電力の異常を検出する制御を行うことによって、異常検出のための専用の測定器等を設ける必要がない。その結果、部品点数の増加を抑制することが可能であるとともに、太陽光発電用パワーコンディショナ１０の小型化を図ることが可能である。また、太陽光発電用パワーコンディショナ１０の内部の検出値（電流値および電圧値）に基づいて直流電力の異常を検出することができるので、太陽光発電用パワーコンディショナ１０の外部（たとえば他の太陽光発電用パワーコンディショナ１０）との複雑な通信が不要である。
【００２８】  また、各ＤＣ／ＤＣ変換回路２の各々は、電流検出部３の検出値、および、電圧検出部４の検出値に基づいて、最大電力点追従制御（ＭＰＰＴ制御）を行い、各太陽光パネル（セルストリング１）の出力電力が最大になるように制御を行っている。
【００２９】  また、太陽光発電用パワーコンディショナ１０は、ＤＣ／ＤＣ変換回路２から直流電力が供給されるＤＣ／ＡＣ変換回路５を含む。ＤＣ／ＡＣ変換回路５は、各ＤＣ／ＤＣ変換回路２からの直流電力を交流電力に変換する。また、ＤＣ／ＡＣ変換回路５は、変換して得られた交流電力を系統１０１に供給する。なお、ＤＣ／ＡＣ変換回路５は、特許請求の範囲の「交流電力変換部」の一例である。
【００３０】  太陽光発電用パワーコンディショナ１０は、制御部６を備える。図２に示すように、制御部６は、複数のセルストリング１の各々から供給される直流電力を演算して取得する電力演算部６ａを含む。なお、図２では、説明のために電力演算部６ａを４つに分けて図示しているが、実際には１つの機能として制御部６に設けられている。
【００３１】  電力演算部６ａは、互いに接続されるセルストリング１とＤＣ／ＤＣ変換回路２との間の電流値（電流検出部３の検出値）および電圧値（電圧検出部４の検出値）に基づいて、セルストリング１からＤＣ／ＤＣ変換回路２に供給される直流電力を取得するように構成されている。具体的には、電力演算部６ａ（制御部６）は、１番のＤＣ／ＤＣ変換回路２に供給される直流電力（Ｐ１）を、電流Ａ１と電圧Ｖ１とを乗算することによって算出する。また、電力演算部６ａ（制御部６）は、２番のＤＣ／ＤＣ変換回路２に供給される直流電力（Ｐ２）を、電流Ａ２と電圧Ｖ２とを乗算することによって算出する。電力演算部６ａ（制御部６）は、３番のＤＣ／ＤＣ変換回路２に供給される直流電力（Ｐ３）を、電流Ａ３と電圧Ｖ３とを乗算することによって算出する。電力演算部６ａ（制御部６）は、４番のＤＣ／ＤＣ変換回路２に供給される直流電力（Ｐ４）を、電流Ａ４と電圧Ｖ４とを乗算することによって算出する。なお、制御部６において、電力演算部６ａの機能は、プログラムなどのソフトウェアにより実現することが可能である。
【００３２】  また、制御部６は、直流電力Ｐ１〜Ｐ４を所定の期間において積算する積算部６ｂを含む。具体的には、積算部６ｂ（制御部６）は、直流電力Ｐ１を所定の期間において積算して、積算値ＰＳＵＭ１を算出する。また、積算部６ｂ（制御部６）は、直流電力Ｐ２を所定の期間において積算して、積算値ＰＳＵＭ２を算出する。積算部６ｂ（制御部６）は、直流電力Ｐ３を所定の期間において積算して、積算値ＰＳＵＭ３を算出する。積算部６ｂ（制御部６）は、直流電力Ｐ４を所定の期間において積算して、積算値ＰＳＵＭ４を算出する。なお、積算値ＰＳＵＭ１、積算値ＰＳＵＭ２、積算値ＰＳＵＭ３、積算値ＰＳＵＭ４、および、所定の期間の詳細については後述する。また、制御部６において、積算部６ｂの機能は、プログラムなどのソフトウェアにより実現することが可能である。なお、図２では、説明のために積算部６ｂを４つに分けて図示しているが、実際には１つの機能として制御部６に設けられている。
【００３３】  また、制御部６は、積算値ＰＳＵＭ１、積算値ＰＳＵＭ２、積算値ＰＳＵＭ３、および、積算値ＰＳＵＭ４を平均化する平均化処理部６ｃを含む。具体的には、平均化処理部６ｃ（制御部６）は、積算値ＰＳＵＭ１、積算値ＰＳＵＭ２、積算値ＰＳＵＭ３、および、積算値ＰＳＵＭ４の平均値である平均値ＰＡＶＥ１（（ＰＳＵＭ１＋ＰＳＵＭ２＋ＰＳＵＭ３＋ＰＳＵＭ４）／４）を取得する。なお、制御部６において、平均化処理部６ｃの機能は、プログラムなどのソフトウェアにより実現することが可能である。
【００３４】  次に、図２および図３を参照して、制御部６による複数のセルストリング１から供給される直流電力（Ｐ１〜Ｐ４）の異常検出について説明する。
【００３５】  まず、図２に示すように、積算部６ｂ（制御部６）は、１週間という期間において直流電力（Ｐ１〜Ｐ４）を積算し、積算値ＰＳＵＭ１、積算値ＰＳＵＭ２、積算値ＰＳＵＭ３、および、積算値ＰＳＵＭ４を取得する。たとえば、積算部６ｂは、１時間毎に直流電力（Ｐ１〜Ｐ４）をサンプリングして積算値を取得する。そして、平均化処理部６ｃ（制御部６）は、１週間分の積算値ＰＳＵＭ１、積算値ＰＳＵＭ２、積算値ＰＳＵＭ３、および、積算値ＰＳＵＭ４の平均値である平均値ＰＡＶＥ１を取得する。なお、この１週間という期間の長さは、雲などの一過性の影によって直流電力の積算値に影響を及ぼさないような期間であるとともに、一過性の影ができる期間よりも長い期間である。すなわち、１週間における積算値に対して、一過性の影による直流電力（発電量）の低下量は、考えなくてよいほど小さい。また、この１週間という期間は、セルストリング１が設置された直後（太陽光発電用パワーコンディショナ１０が導入された直後）からの１週間である。なお、積算値ＰＳＵＭ１、積算値ＰＳＵＭ２、積算値ＰＳＵＭ３、および、積算値ＰＳＵＭ４は、特許請求の範囲の「第１積算値」の一例である。また、１週間は、特許請求の範囲の「第１の期間」の一例である。また、平均値ＰＡＶＥ１は、特許請求の範囲の「第１平均値」の一例である。
【００３６】  そして、図３に示すように、制御部６は、積算値ＰＳＵＭ１、積算値ＰＳＵＭ２、積算値ＰＳＵＭ３、および、積算値ＰＳＵＭ４に基づいて取得された平均値ＰＡＶＥ１により、積算値ＰＳＵＭ１、積算値ＰＳＵＭ２、積算値ＰＳＵＭ３、および、積算値ＰＳＵＭ４を除算した値である、比率ｒ１、ｒ２、ｒ３、および、ｒ４を取得する。すなわち、比率ｒ１〜ｒ４は、平均値ＰＡＶＥ１に対する積算値ＰＳＵＭ１、積算値ＰＳＵＭ２、積算値ＰＳＵＭ３、および、積算値ＰＳＵＭ４の各々のずれの大きさ（割合）を意味する。上記のずれは、複数のＤＣ／ＤＣ変換回路２に直流電力（Ｐ１〜Ｐ４）を供給するセルストリング１の傾斜角度が互いに異なっていることによって生じた受光量の差に起因する。すなわち、比率ｒ１〜ｒ４とは、複数のセルストリング１の互いの傾斜角度の差に起因する直流電力への影響を反映した値である。なお、セルストリング１の傾斜角度は、セルストリング１が設置されている場所の傾斜角度などによって変化する。
【００３７】  また、制御部６は、取得された比率ｒ１〜ｒ４を記憶部６ｄに記憶（保持）させる。また、制御部６において、記憶部６ｄの機能は、プログラムなどのソフトウェア、揮発性メモリ、および、フラッシュメモリ等の記憶媒体により実現することが可能である。
【００３８】  ここで、本実施形態では、制御部６は、比率ｒ１〜ｒ４に基づいて、セルストリング１から供給される直流電力の異常を検出するように構成されている。そして、制御部６は、直流電力の異常を検出することによって、異常な直流電力を出力しているセルストリング１を、異常な状態であるセルストリング１として検出するように構成されている。以下に、比率ｒ１〜ｒ４に基づいた直流電力の異常の検出について詳細に説明する。
【００３９】  比率ｒ１〜ｒ４を算出した後、積算部６ｂ（制御部６）（図２参照）は、１日という期間において直流電力（Ｐ１〜Ｐ４）を積算し、積算値ＰＳＵＭ１１、積算値ＰＳＵＭ１２、積算値ＰＳＵＭ１３、および、積算値ＰＳＵＭ１４を取得する。そして、平均化処理部６ｃ（制御部６）（図２参照）は、１日分の積算値ＰＳＵＭ１１、積算値ＰＳＵＭ１２、積算値ＰＳＵＭ１３、および、積算値ＰＳＵＭ１４の平均値である平均値ＰＡＶＥ１１を取得する。なお、この１日という期間の長さは、雲などの一過性の影によって直流電力の積算値に影響を及ぼさないような期間であるとともに、一過性の影ができる期間よりも長い期間である。すなわち、１日における積算値に対して、一過性の影による直流電力（発電量）の低下量は、考えなくてよいほど小さい。
【００４０】  これにより、１日という期間において、積算値ＰＳＵＭ１１、積算値ＰＳＵＭ１２、積算値ＰＳＵＭ１３、および、積算値ＰＳＵＭ１４は、雲などの一過性の影による影響が緩和された値となる。また、この１日という期間は、上記の１週間の積算値を取得した後の期間である。なお、積算値ＰＳＵＭ１１、積算値ＰＳＵＭ１２、積算値ＰＳＵＭ１３、および、積算値ＰＳＵＭ１４は、特許請求の範囲の「第２積算値」の一例である。また、ＰＡＶＥ１１は、特許請求の範囲の「第２平均値」の一例である。また、１日は、特許請求の範囲の「第２の期間」の一例である。
【００４１】  そして、制御部６は、積算値ＰＳＵＭ１１、積算値ＰＳＵＭ１２、積算値ＰＳＵＭ１３、および、積算値ＰＳＵＭ１４を、それぞれ、比率ｒ１、ｒ２、ｒ３、およびｒ４により補正することによって、セルストリング１から供給される直流電力の異常を検出するように構成されている。比率ｒ１〜ｒ４による補正を行うことにより、複数のセルストリング１の互いの傾斜角度の差に起因する直流電力への影響が緩和される。すなわち、制御部６は、積算値（ＰＳＵＭ１１、ＰＳＵＭ１２、ＰＳＵＭ１３、および、ＰＳＵＭ１４）を比率（ｒ１〜ｒ４）により補正することによって、雲などの一過性の影による影響、および、複数のセルストリング１の互いの傾斜角度の差に起因する影響を緩和した状態で、セルストリング１から供給される直流電力の異常を検出するように構成されている。言い換えれば、積算値（ＰＳＵＭ１１、ＰＳＵＭ１２、ＰＳＵＭ１３、および、ＰＳＵＭ１４）を比率（ｒ１〜ｒ４）により補正することによって、セルストリング１の故障（異常）に起因する直流電力の変動（低下）だけを抽出している。
【００４２】  ここで、直流電力の異常とは、セルストリング１の太陽光パネルが、遮蔽物によって覆われることにより、受光量とともに発電量が低下することなどが起因すると考えられる。遮蔽物とは、たとえば、落ち葉、および、鳥の糞などが考えられる。また、太陽光パネルを構成するクラスタ間の断線が生じた場合にも、直流電流が異常になる（過度に低下する）場合がある。
【００４３】  具体的には、制御部６は、積算値ＰＳＵＭ１１、積算値ＰＳＵＭ１２、積算値ＰＳＵＭ１３、および、積算値ＰＳＵＭ１４の平均値であるＰＡＶＥ１１と、比率ｒ１〜ｒ４の各々との乗算値である補正値Ｐｒ１、Ｐｒ２、Ｐｒ３、および、Ｐｒ４を算出する。そして、制御部６は、補正値Ｐｒ１〜Ｐｒ４と、積算値（ＰＳＵＭ１１、ＰＳＵＭ１２、ＰＳＵＭ１３、および、ＰＳＵＭ１４）との関係に基づいて、１番〜４番のＤＣ／ＤＣ変換回路２へ供給される直流電力（Ｐ１〜Ｐ４）が異常であるか否かを検出する。
【００４４】  詳細には、制御部６は、故障判定部６ｅを含んでいる。たとえば、１番のＤＣ／ＤＣ変換回路２について代表して説明すると、故障判定部６ｅ（制御部６）は、補正値Ｐｒ１と積算値ＰＳＵＭ１１との差分が、所定の閾値以上の場合に、直流電力Ｐ１が異常である（太陽光パネルを覆う遮蔽物または太陽光パネルに故障がある）と判定する。所定の閾値とは、たとえば、積算値ＰＳＵＭ１１の１０％の値である。すなわち、故障判定部６ｅ（制御部６）は、Ｐｒ１−ＰＳＵＭ１１＞０．１×ＰＳＵＭ１１の場合に、直流電力Ｐ１が異常であると判定する。なお、１０％とは、セルストリング１に異常（故障）がない場合に、正常時に対して変動（低下）し得る直流電力（セルストリング１の発電量）の割合である。なお、２番〜４番のＤＣ／ＤＣ変換回路２についても同様であるので、詳細な説明は省略する。
【００４５】  また、本実施形態では、制御部６は、１日における積算値（ＰＳＵＭ１１、ＰＳＵＭ１２、ＰＳＵＭ１３、および、ＰＳＵＭ１４）を取得するとともに積算値（ＰＳＵＭ１１、ＰＳＵＭ１２、ＰＳＵＭ１３、および、ＰＳＵＭ１４）を比率ｒ１〜ｒ４を用いて補正することによって直流電力の異常を検出する制御を繰り返し行うように構成されている。具体的には、制御部６は、午前０時から２４時間における積算値（ＰＳＵＭ１１、ＰＳＵＭ１２、ＰＳＵＭ１３、および、ＰＳＵＭ１４）および平均値ＰＡＶＥ１１を取得し、次の日の午前０時に上記異常の検出の制御を行う。そして、次の日の２４時間において再び積算値（ＰＳＵＭ１１、ＰＳＵＭ１２、ＰＳＵＭ１３、および、ＰＳＵＭ１４）および平均値ＰＡＶＥ１１を取得するとともに上記異常の検出の制御を行う。すなわち、制御部６は、上記制御を毎日繰り返し行うように構成されている。
【００４６】  また、この場合、制御部６は、記憶部６ｄにおいて記憶されている比率ｒ１〜ｒ４を読み出して、上記異常の検出を行うように構成されている。これにより、上記異常の検出の度に比率ｒ１〜ｒ４を算出することなく、比率ｒ１〜ｒ４を上記異常の検出に用いることが可能である。
【００４７】  また、本実施形態では、制御部６は、セルストリング１から供給される直流電力（Ｐ１〜Ｐ４）の異常を検出した場合に、異常が検出された直流電力を供給するセルストリング１に異常があることを通知する制御を行うように構成されている。具体的には、太陽光発電用パワーコンディショナ１０には、通知部７（図１参照）が設けられている。制御部６は、直流電力（Ｐ１〜Ｐ４）の異常を検出した場合に、異常が生じていることを通知部７に通知させるように制御を行うように構成されている。なお、通知部７とは、たとえば、アラームおよびＬＥＤランプ等が考えられる。この場合、通知部７は、アラーム（ＬＥＤランプ）により、いずれのセルストリング１に異常があるかを通報（または画面に表示）するように構成されている。
【００４８】  次に、図４を参照して、制御部６による直流電力の異常の検出の制御について、フロー図を用いて説明する。
【００４９】  まず、ステップＳ１において、制御部６は、セルストリング１が設置された直後（太陽光発電用パワーコンディショナ１０が導入された直後）から１週間の、各セルストリング１からの直流電力（Ｐ１〜Ｐ４）の積算値（ＰＳＵＭ１、ＰＳＵＭ２、ＰＳＵＭ３、および、ＰＳＵＭ４）および平均値（ＰＡＶＥ１）を取得する。
【００５０】  次に、ステップＳ２では、制御部６は、ステップＳ１で取得した平均値（ＰＡＶＥ１）に対する各セルストリング１の積算値（ＰＳＵＭ１、ＰＳＵＭ２、ＰＳＵＭ３、および、ＰＳＵＭ４）の比率（ｒ１〜ｒ４）を算出する。そして、算出された比率（ｒ１〜ｒ４）を、記憶部６ｄにおいて記憶する。
【００５１】  次に、ステップＳ３では、制御部６は、各セルストリング１からの直流電力（Ｐ１〜Ｐ４）の１日の積算値（ＰＳＵＭ１１、ＰＳＵＭ１２、ＰＳＵＭ１３、および、ＰＳＵＭ１４）および平均値（ＰＡＶＥ１１）を取得する。
【００５２】  次に、ステップＳ４では、制御部６は、ステップＳ２において算出された比率と、ステップＳ３において取得された平均値（ＰＡＶＥ１１）とを乗算した補正値（Ｐｒ１〜Ｐｒ４）と、ステップＳ３において取得された各セルストリング１の１日の積算値（ＰＳＵＭ１１、ＰＳＵＭ１２、ＰＳＵＭ１３、および、ＰＳＵＭ１４）との差分が、所定の閾値以上か否かを判定する。上記差分が、所定の閾値以上の場合はステップＳ５に進み、所定の閾値未満の場合はステップＳ３に戻る。
【００５３】  そして、ステップＳ５では、異常が検出されたセルストリング１を、通知部７によりユーザに通知する。
【００５４】  （本実施形態の効果）  本実施形態では、以下のような効果を得ることができる。
【００５５】  本実施形態では、上記のように、制御部６は、一過性の影によって直流電力の積算値に影響を及ぼさないような一過性の影ができる期間よりも長い期間であり、かつ、複数のセルストリング１の設置直後の期間である１週間という期間において、セルストリング１から供給される直流電力（Ｐ１〜Ｐ４）を積算した積算値（ＰＳＵＭ１、ＰＳＵＭ２、ＰＳＵＭ３、および、ＰＳＵＭ４）を取得する。また、制御部６は、積算値（ＰＳＵＭ１、ＰＳＵＭ２、ＰＳＵＭ３、および、ＰＳＵＭ４）を複数のセルストリング１の数で平均した平均値（ＰＡＶＥ１）に対する各々のセルストリング１の積算値（ＰＳＵＭ１、ＰＳＵＭ２、ＰＳＵＭ３、および、ＰＳＵＭ４）の比率ｒ１〜ｒ４を、複数のセルストリング１の互いの傾斜角度の差に起因する直流電力への影響を反映した値として取得する。そして、制御部６が、比率ｒ１〜ｒ４に基づいて、複数のセルストリング１から供給される直流電力（Ｐ１〜Ｐ４）の異常を検出するように、太陽光発電用パワーコンディショナ１０（太陽光発電システム１００）を構成する。
【００５６】  これにより、１週間という期間が、一過性の影ができる期間よりも長い期間であることによって、取得された積算値（ＰＳＵＭ１、ＰＳＵＭ２、ＰＳＵＭ３、および、ＰＳＵＭ４）において、一過性の影による影響が緩和される。また、１週間という期間が、複数のセルストリング１の設置直後の期間であることによって、全てのセルストリング１が正常であるので、取得された積算値（ＰＳＵＭ１、ＰＳＵＭ２、ＰＳＵＭ３、および、ＰＳＵＭ４）において、複数のセルストリング１の異常に起因する直流電力の変動の影響が生じるのが抑制される。すなわち、平均値（ＰＡＶＥ１）に対する積算値（ＰＳＵＭ１、ＰＳＵＭ２、ＰＳＵＭ３、および、ＰＳＵＭ４）の比率ｒ１〜ｒ４は、複数のセルストリング１の互いの傾斜角度の差に起因する直流電力への影響だけが反映された値（平均に対するずれの割合）であるとみなすことができる。したがって、比率ｒ１〜ｒ４に基づいて、複数のセルストリング１から供給される直流電力（Ｐ１〜Ｐ４）の異常を検出することによって、複数のセルストリング１の互いの傾斜角度の差に起因する直流電力への影響を緩和した状態で、複数のセルストリング１から供給される直流電力（Ｐ１〜Ｐ４）の異常を検出することができる。その結果、セルストリング１の故障（異常）（太陽光発電システム１００の異常）を正確に検出することができる。
【００５７】  また、本実施形態では、上記のように、制御部６は、複数のセルストリング１から供給される直流電力（Ｐ１〜Ｐ４）を、一過性の影によって直流電力の積算値に影響を及ぼさないような一過性の影ができる期間よりも長い期間であり、かつ、１週間の期間よりも後の１日の期間において積算した積算値（ＰＳＵＭ１１、ＰＳＵＭ１２、ＰＳＵＭ１３、および、ＰＳＵＭ１４）を取得する。そして、制御部６が、積算値（ＰＳＵＭ１１、ＰＳＵＭ１２、ＰＳＵＭ１３、および、ＰＳＵＭ１４）を比率ｒ１〜ｒ４により補正することによって、複数のセルストリング１から供給される直流電力（Ｐ１〜Ｐ４）の異常を検出するように、太陽光発電用パワーコンディショナ１０を構成する。ここで、一過性の影ができる期間よりも長い期間である１日という期間における積算値（ＰＳＵＭ１１、ＰＳＵＭ１２、ＰＳＵＭ１３、および、ＰＳＵＭ１４）は、一過性の影による影響が緩和されている。したがって、一過性の影による影響が緩和された積算値（ＰＳＵＭ１１、ＰＳＵＭ１２、ＰＳＵＭ１３、および、ＰＳＵＭ１４）を、複数のセルストリング１の互いの傾斜角度の差が反映された比率ｒ１〜ｒ４により補正することによって、複数のセルストリング１から供給される直流電力において、一過性の影による影響、および、上記傾斜角度の差に起因する直流電力への影響の両方が緩和される。これにより、１週間という期間の経過以後に複数のセルストリング１から供給される直流電力（Ｐ１〜Ｐ４）に異常が生じた場合に、１週間という期間より後の１日という期間における積算値（ＰＳＵＭ１１、ＰＳＵＭ１２、ＰＳＵＭ１３、および、ＰＳＵＭ１４）を比率ｒ１〜ｒ４により補正することによって、一過性の影による影響、および、上記傾斜角度の差に起因する直流電力への影響の両方を緩和した状態で、上記異常を検出することができる。
【００５８】  また、本実施形態では、上記のように、制御部６が、１日という期間において積算した積算値（ＰＳＵＭ１１、ＰＳＵＭ１２、ＰＳＵＭ１３、および、ＰＳＵＭ１４）を取得することによって一過性の影による影響を緩和するとともに、積算値（ＰＳＵＭ１１、ＰＳＵＭ１２、ＰＳＵＭ１３、および、ＰＳＵＭ１４）を比率ｒ１〜ｒ４により補正することによって上記傾斜角度の差に起因する直流電力への影響を緩和した状態で、直流電力（Ｐ１〜Ｐ４）の異常を検出するように、太陽光発電用パワーコンディショナ１０を構成する。これにより、一過性の影による影響、および、複数のセルストリング１の互いの傾斜角度の差に起因する直流電力への影響が緩和されているので、複数のセルストリング１における異常に起因する直流電力への影響をより正確に検出することができる。
【００５９】  また、本実施形態では、上記のように、制御部６が、１日という期間において積算した積算値（ＰＳＵＭ１１、ＰＳＵＭ１２、ＰＳＵＭ１３、および、ＰＳＵＭ１４）を取得することによって一過性の影による影響を緩和するとともに、積算値（ＰＳＵＭ１１、ＰＳＵＭ１２、ＰＳＵＭ１３、および、ＰＳＵＭ１４）を比率ｒ１〜ｒ４により補正することによって上記傾斜角度の差に起因する直流電力への影響を緩和した状態で、太陽光パネルを覆う遮蔽物による影響、および、太陽光パネルの故障による影響に起因する直流電力の異常を検出するように、太陽光発電用パワーコンディショナ１０を構成する。これにより、太陽光パネルを覆う遮蔽物、および、太陽光パネルの故障という、太陽光パネルに恒久的に生じている異常を容易に検出することができる。
【００６０】  また、本実施形態では、上記のように、制御部６が、積算値（ＰＳＵＭ１１、ＰＳＵＭ１２、ＰＳＵＭ１３、および、ＰＳＵＭ１４）を複数のセルストリング１の数で平均した平均値（ＰＡＶＥ１１）を、比率ｒ１〜ｒ４で乗算することによって補正した補正値Ｐｒ１〜Ｐｒ４と、積算値（ＰＳＵＭ１１、ＰＳＵＭ１２、ＰＳＵＭ１３、および、ＰＳＵＭ１４）との差分が、所定の閾値よりも大きい場合に、太陽光パネルを覆う遮蔽物による影響、および、太陽光パネルの故障による影響に起因する直流電力の異常を検出するように、太陽光発電用パワーコンディショナ１０を構成する。これにより、補正値Ｐｒ１〜Ｐｒ４と積算値（ＰＳＵＭ１１、ＰＳＵＭ１２、ＰＳＵＭ１３、および、ＰＳＵＭ１４）との差分と、所定の閾値とを比較するだけで、太陽光パネルを覆う遮蔽物による影響、および、太陽光パネルの故障による影響に起因する直流電力の異常を容易に検出することができる。
【００６１】  また、本実施形態では、上記のように、制御部６が、１日という期間において積算値（ＰＳＵＭ１１、ＰＳＵＭ１２、ＰＳＵＭ１３、および、ＰＳＵＭ１４）を取得するとともに積算値（ＰＳＵＭ１１、ＰＳＵＭ１２、ＰＳＵＭ１３、および、ＰＳＵＭ１４）を比率ｒ１〜ｒ４を用いて補正することによって直流電力（Ｐ１〜Ｐ４）の異常を検出する制御を繰り返し行うように、太陽光発電用パワーコンディショナ１０を構成する。これにより、一過性の影による影響、および、複数のセルストリング１の互いの傾斜角度の差に起因する直流電力への影響の両方を緩和した状態で、直流電力（Ｐ１〜Ｐ４）の異常の検出を繰り返し行うことができる。
【００６２】  また、本実施形態では、上記のように、制御部６が、セルストリング１から供給される直流電力（Ｐ１〜Ｐ４）の異常を検出した場合に、異常が検出された直流電力を供給するセルストリング１に異常があることを通知する制御を行うように、太陽光発電用パワーコンディショナ１０を構成する。これにより、セルストリング１に異常が検出された場合に通知されるので、ユーザは速やかに異常があるセルストリング１に対して修理等の対処をすることができる。
【００６３】  また、本実施形態では、上記のように、制御部６が、セルストリング１からＤＣ／ＤＣ変換回路２に供給される直流電力（Ｐ１〜Ｐ４）により取得された比率ｒ１〜ｒ４に基づいて、複数のセルストリング１からＤＣ／ＤＣ変換回路２に供給される直流電力（Ｐ１〜Ｐ４）の異常を検出するように、太陽光発電用パワーコンディショナ１０を構成する。これにより、複数のセルストリング１の互いの傾斜角度の差に起因する直流電力への影響を緩和した状態で、ＤＣ／ＤＣ変換回路２に供給される直流電力（Ｐ１〜Ｐ４）の異常を検出することができる。
【００６４】  [変形例]  なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６５】  たとえば、上記実施形態では、１週間という期間（第１の期間）において、全てのセルストリング１に対応する積算値（ＰＳＵＭ１、ＰＳＵＭ２、ＰＳＵＭ３、および、ＰＳＵＭ４）から平均値ＰＡＶＥ１を取得する例を示したが、本発明はこれに限られない。
【００６６】  たとえば、図５に示すように、制御部１６は、複数のセルストリング１のうちの一のセルストリング１以外の複数のセルストリング１からの直流電力の平均値ＰＡＶＥ２１に対する一のセルストリング１の積算値の比率に基づいて、一のセルストリング１から供給される直流電力の異常を検出するように構成されている。以下に、一のセルストリング１が、１番のＤＣ／ＤＣ変換回路２に直流電力を供給するセルストリング１であるとして、具体的に説明する。なお、一のセルストリング１が、２番〜４番のＤＣ／ＤＣ変換回路２に直流電力を供給するセルストリング１である場合も同様であるので、詳細な説明は省略する。
【００６７】  制御部１６は、１週間の積算値（ＰＳＵＭ２、ＰＳＵＭ３、および、ＰＳＵＭ４）から平均値ＰＡＶＥ２１を算出する。すなわち、平均値ＰＡＶＥ２１は、（ＰＳＵＭ２＋ＰＳＵＭ３＋ＰＳＵＭ４）／３である。そして、制御部６は、平均値ＰＡＶＥ２１に対する積算値ＰＳＵＭ１の比率ｒ１１を算出して記憶部６ｄに記憶させる。さらに、この場合、制御部６は、１日の積算値（ＰＳＵＭ１２、ＰＳＵＭ１３、および、ＰＳＵＭ１４）から算出した平均値ＰＡＶＥ３１と、比率ｒ１１とを乗算することによって補正値Ｐｒ１１を算出し、補正値Ｐｒ１１と積算値ＰＳＵＭ１１との差分に基づいて直流電力Ｐ１の異常の検出を行ってもよい。
【００６８】  これにより、一のセルストリング１からの直流電力に異常がある場合に、異常がある直流電力を含めないで平均値ＰＡＶＥ２１を取得することができる。その結果、複数のセルストリング１の互いの傾斜角度の差に起因する直流電力への影響をより正確に比率ｒ１１に反映させることができる。
【００６９】  また、上記実施形態では、セルストリング１（太陽光パネル群）からの直流電力が太陽光発電用パワーコンディショナ１０に供給される例を示したが、本発明はこれに限られない。たとえば、１台の太陽光パネルからの直流電力が太陽光発電用パワーコンディショナ１０に供給される構成であってもよい。また、複数のセルストリング１（太陽光パネル群）が直列または並列に接続されたセルアレイからの直流電力が太陽光発電用パワーコンディショナ１０に供給される構成であってもよい。
【００７０】  また、上記実施形態では、セルストリング１（太陽光パネル群）が設置された直後（太陽光発電用パワーコンディショナ１０が導入された直後）からの１週間（第１の期間）において積算値（ＰＳＵＭ１、ＰＳＵＭ２、ＰＳＵＭ３、および、ＰＳＵＭ４）（第１積算値）を取得する例を示したが、本発明はこれに限られない。たとえば、セルストリング１（太陽光パネル群）が設置された後、数時間程度、セルストリング１（太陽光パネル群）を稼働させた後の１週間（第１の期間）において積算値（ＰＳＵＭ１、ＰＳＵＭ２、ＰＳＵＭ３、および、ＰＳＵＭ４）（第１積算値）を取得してもよい。
【００７１】  また、上記実施形態では、１週間（第１の期間）において積算値（ＰＳＵＭ１、ＰＳＵＭ２、ＰＳＵＭ３、および、ＰＳＵＭ４）（第１積算値）を取得する例を示したが、本発明はこれに限られない。たとえば、１日において積算値（ＰＳＵＭ１、ＰＳＵＭ２、ＰＳＵＭ３、および、ＰＳＵＭ４）（第１積算値）を取得してもよい。また、１ヶ月において積算値（ＰＳＵＭ１、ＰＳＵＭ２、ＰＳＵＭ３、および、ＰＳＵＭ４）（第１積算値）を取得してもよい。なお、積算値（ＰＳＵＭ１、ＰＳＵＭ２、ＰＳＵＭ３、および、ＰＳＵＭ４）を取得する期間を長くすることによって、容易に異常の誤検出を抑制することが可能である。
【００７２】  また、上記実施形態では、１日毎に積算値（ＰＳＵＭ１１、ＰＳＵＭ１２、ＰＳＵＭ１３、および、ＰＳＵＭ１４）を取得して直流電力の異常を検出する制御を行う例を示したが、本発明はこれに限られない。たとえば、半日または２日毎に、上記異常の検出の制御を行ってもよい。
【００７３】  また、上記実施形態では、太陽光発電用パワーコンディショナ１０は、４つのＤＣ／ＤＣ変換回路２（直流電力変換部）を備える例を示したが、本発明はこれに限られない。たとえば、ＤＣ／ＤＣ変換回路２が複数設けられていれば、ＤＣ／ＤＣ変換回路２の数は４つに限られない。また、太陽光発電用パワーコンディショナ１０には、２つ以上のＤＣ／ＡＣ変換回路（交流電力変換部）が設けられていてもよい。
【符号の説明】
【００７４】  １  セルストリング（太陽光パネル群）  ２  ＤＣ／ＤＣ変換回路（直流電力変換部）  ３  電流検出部（電力検出部）  ４  電圧検出部（電力検出部）  ５  ＤＣ／ＡＣ変換回路（交流電力変換部）  ６、１６  制御部  １０  太陽光発電用パワーコンディショナ  １００  太陽光発電システム  ＰＡＶＥ１  平均値（第１平均値）  ＰＡＶＥ１１  平均値（第２平均値）  Ｐｒ１、Ｐｒ２、Ｐｒ３、Ｐｒ４  補正値  ＰＳＵＭ１、ＰＳＵＭ２、ＰＳＵＭ３、ＰＳＵＭ４  積算値（第１積算値）  ＰＳＵＭ１１、ＰＳＵＭ１２、ＰＳＵＭ１３、ＰＳＵＭ１４  積算値（第２積算値）  ｒ１、ｒ２、ｒ３、ｒ４  比率
【図１】
0006870780.tif 000002
【図２】
0006870780.tif 000003
【図３】
0006870780.tif 000004
【図４】
0006870780.tif 000005
【図５】
0006870780.tif 000006